(57)【要約】【課題】音声出力先を切替えても適切な音量で音声を再生することができる映像音声再生方法、および映像音声再生装置を提供することを目的とする。【解決手段】表示手段ＤＹＰと、第１音声出力手段ＳＰ１と、外部に接続される第２音声出力手段ＳＰ２と第１音声出力手段ＳＰ１とを連携させる連携手段ＣＮＴと、を備え、連携手段ＣＮＴは、音声出力先を第２音声出力手段ＳＰ２に切り替える際に、第２音声出力手段ＳＰ２から出力される音声の音量が第１閾値を超えているか否かを判断する判断手段１０１と、判断手段１０１によって第２音声出力手段ＳＰ２から出力される音声の音量が第１閾値を超えていると判断された場合に、第２音声出力手段ＳＰ２から出力される音声の音量を、第１閾値に設定する初期音量設定手段１０３、を有する映像音声再生装置。【選択図】    図１
2008294759.tif 000002
【特許請求の範囲】
【請求項１】
表示手段と、
第１音声出力手段と、
外部に接続される第２音声出力手段と前記第１音声出力手段とを連携させる連携手段と、を備え、
前記連携手段は、前記第２音声出力手段の過去の音量設定を記憶手段に記憶させる音量記録手段と、
前記第１音声出力手段から出力される音声を前記第２音声出力手段より出力するように切り替える際に、前記第２音声出力手段から出力される音声の音量が第１閾値を超えているか否かを判断する判断手段と、
前記判断手段によって前記第２音声出力手段から出力される音声の音量が前記第１閾値を超えていると判断された場合に、最初に前記第２音声出力手段から出力される音声の音量を、前記第１閾値に設定する初期音量設定手段、あるいは、前記記憶手段から取得した音量設定値に設定する初期音量設定手段と、を有する映像音声再生装置。
【請求項２】
前記連携手段は、前記判断手段によって前記第２音声出力手段から出力される音声の音量が前記第１閾値を超えていると判断された場合に前記表示手段に警告を表示させる警告表示手段をさらに有する請求項１記載の映像音声再生装置。
【請求項３】
前記連携手段は、前記判断手段によって前記第２音声出力手段から出力される音声の音量が前記第１閾値を超えていると判断された場合に、前記第２音声出力手段から出力される音声の音量を、前記第１閾値から前記第２音声出力手段に最初に設定されていた音量へと段階的に変更させる手段をさらに有する請求項１または請求項２に記載の映像音声再生装置。
【請求項４】
前記連携手段は、前記第１音声出力手段から出力される音声を前記第２音声出力手段より出力するように切り替える際に、前記第２音声出力手段から出力される音声の音量が第２閾値よりも小さいか否かを判断する第２判断手段と、
前記第２判断手段によって前記第２音声出力手段から出力される音声の音量が前記第２閾値より小さいと判断された場合に、前記第２音声出力手段から出力される音声を、一定間隔をあけながら段階的に、最初に設定された音量から前記第２閾値へと変更させる手段をさらに有している請求項１ないし請求項３のいずれか１項に記載の映像音声再生装置。
【請求項５】
表示手段と、
第１音声出力手段と、
外部に接続された第２音声出力手段と、前記第１音声出力手段とを連携させる連携手段と、を備え、
前記連携手段は、前記第２音声出力手段の過去の音量設定を記憶手段に記憶させる音量記録手段と、
前記第１音声出力手段から出力されている音声を前記第２音声出力手段より出力するように切り替える際に、前記記憶手段に記憶された音量設定値が第１閾値を超えているか否かを判断する判断手段と、
前記判断手段によって、前記記憶手段に記憶された音量設定値が前記第１閾値を超えていると判断された場合に、前記第２音声出力手段の最初の音量を前記第１閾値とし、一定間隔をあけて段階的に前記記憶手段に記憶された音量設定値へと音量を変化させる初期音量設定手段と、を有する映像音声再生装置。
【請求項６】
前記第１音声出力手段から出力されている音声を前記第２音声出力手段より出力するように切り替える際に、前記記憶手段に記憶された音量設定値が第２閾値よりも小さいか否かを判断する第２判断手段と、
前記第２判断手段によって、前記記憶手段に記憶された音量設定値が前記第２閾値よりも小さいと判断された場合に、前記第２音声出力手段の最初の音量設定値から一定間隔をあけて段階的に前記記憶手段に記憶された音量設定値へと音量を変化させる初期音量設定手段と、をさらに有する請求項５記載の映像音声再生装置。
【請求項７】
放送電波を受信する受信する受信手段と、
前記受信手段から受信される放送電波を選択するチューナと、をさらに有する請求項１ないし請求項６のいずれか１項記載の映像音声再生装置。
【請求項８】
前記映像音声再生装置の第１音声出力手段の出力を切替え可能な前記第２音声出力手段を有する音響装置と、
前記映像音声再生装置に音声信号を供給する音声信号供給手段と、をさらに備える請求項１ないし請求項７のいずれか１項に記載の映像音声再生装置。
【請求項９】
表示手段と、
第１音声出力手段と、
外部に接続される第２音声出力手段の過去の音量設定を記憶手段に記憶させる音量記録手段を有するとともに、前記第２音声出力手段と前記第１音声出力手段とを連携させる連携手段と、を備えた映像音声再生装置の映像音声再生方法であって、
前記第１音声出力手段から出力される音声を前記第２音声出力手段より出力するように切り替える際に、前記第２音声出力手段から出力される音声の音量が第１閾値を超えているか否かを判断する判断ステップと、
前記判断ステップにおいて前記第２音声出力手段から出力される音声の音量が前記第１閾値を超えていると判断された場合に、最初に前記第２音声出力手段から出力される音声の音量を、前記第１閾値とする初期音量設定ステップ、あるいは、前記記憶手段から取得した音量設定値に設定する初期音量設定ステップと、を有する映像音声再生方法。
【発明の詳細な説明】
【技術分野】
【０００１】
本発明は、映像音声再生装置および映像音声再生方法に関し、特に、外部に音声室力手段を接続可能な映像音声再生装置およびその映像音声再生装置における映像音声再生方法に関する。
【背景技術】
【０００２】
従来、例えば放送波などに含まれる音声信号をスピーカで出力するＨＤＭＩ（High Definition Multimedia Interface）受信装置で、スピーカの音量を調整するものが提案されている。外部の音響装置と連携した映像装置として、例えばＨＤＭＩ対応テレビにでは、外部入力毎に違う音声信号の音量をＨＤＭＩ−ＣＥＣプロトコルを利用して機器種別を取得して、音量調整を自動的に行うことについての方法が提案されている（特許文献１参照）。
【０００３】
一方で、映像はＴＶのような映像装置、音声はアンプのような音響装置と、別な装置から出力する利用方法も広く普及している。そのため、ＴＶから音声も共に出すかアンプから音声を出すかを、連携機能によりＴＶ側またはアンプ側から切り替えを行う機能が存在する。
【０００４】
上記のように、連携機能を有する装置、例えば、複数の外部入力端子を備えたＴＶモニタにおいて、入力端子毎に音量を記憶する手段を持たせ、音量調整操作の度にその音量の記憶を更新する機能を持たせ、更には入力端子の切り替え操作直後には記憶している音量よりも若干小さい音量を出力し、その後徐々に記憶している音量に上げていく機能を有するものが提案されている（特許文献２参照）。
【特許文献１】特開２００６−３５２５９９号公報
【特許文献２】特開２００５−２４４６８４号公報
【発明の開示】
【発明が解決しようとする課題】
【０００５】
例えば、ＴＶのような映像のみでなく音響装置も共に持ち合わせている機器を利用している場合、普段はＴＶから音声も出力しているが、映画などを見る場合だけ例えば外部に接続された音響装置（アンプ等）から音声を出力することがある。このときアンプ等の音量は、昼間に映画を見ていたり音楽を聴いていたりした時に、大きめの音量となっている場合もある。
【０００６】
連携機能によりＴＶからアンプ等へ音声出力を行う装置を変更した際に、外部の音響装置（アンプ等）の音量が大きく設定されていた場合、今まで出力されていた音量とあまりにかけ離れて大きい音が出力されることがあった。特に、外部に音響装置を別途接続しているような場合、あやまって必要以上の大音量に設定されていた場合には、機器を破壊するような事態も想定しうる。
【０００７】
また、過去に音響装置を使用した際に、一時的に音響装置の音量を極端に小さくすると、再び音響装置から音声を出力した際に非常に小さい音量でしか再生されない場合があった。
【０００８】
本発明は上記の問題点に鑑みて成されたものであって、音声出力先を切替えても適切な音量で音声を再生することができる映像音声再生方法、および映像音声再生装置を提供することを目的とする。
【課題を解決するための手段】
【０００９】
本発明の第１態様に係る映像音声再生装置は、表示手段と、第１音声出力手段と、外部に接続される第２音声出力手段と前記第１音声出力手段とを連携させる連携手段と、を備え、前記連携手段は、前記第２音声出力手段の過去の音量設定を記憶手段に記憶させる音量記録手段と、前記第１音声出力手段から出力される音声を前記第２音声出力手段より出力するように切り替える際に、前記第２音声出力手段から出力される音声の音量が第１閾値を超えているか否かを判断する判断手段と、前記判断手段によって前記第２音声出力手段から出力される音声の音量が前記第１閾値を超えていると判断された場合に、最初に前記第２音声出力手段から出力される音声の音量を、前記第１閾値に設定する初期音量設定手段、あるいは、前記記憶手段から取得した音量設定値に設定する初期音量設定手段と、を有する。
【００１０】
本発明の第２態様に係る映像音声再生方法は、表示手段と、第１音声出力手段と、外部に接続される第２音声出力手段の過去の音量設定を記憶手段に記憶させる音量記録手段を有するとともに、前記第２音声出力手段と前記第１音声出力手段とを連携させる連携手段と、を備えた映像音声再生装置の映像音声再生方法であって、前記第１音声出力手段から出力される音声を前記第２音声出力手段より出力するように切り替える際に、前記第２音声出力手段から出力される音声の音量が第１閾値を超えているか否かを判断する判断ステップと、前記判断ステップにおいて前記第２音声出力手段から出力される音声の音量が前記第１閾値を超えていると判断された場合に、最初に前記第２音声出力手段から出力される音声の音量を、前記第１閾値とする初期音量設定ステップ、あるいは、前記記憶手段から取得した音量設定値に設定する初期音量設定ステップと、を有する。
【発明の効果】
【００１１】
本発明によれば、音声出力先を切替えても適切な音量で音声を再生することができる映像音声再生装置、および映像音声再生方法を提供することができる。
【発明を実施するための最良の形態】
【００１２】
以下に、本発明の第１実施形態に係る映像音声再生装置、および映像音声再生方法について図面を参照して説明する。図１に示すように、本実施形態に係る映像音声再生装置は受信装置１０と、外部音声出力手段としてのＡＶアンプ２０と、映像音声信号供給部としてのＤＶＤ読取装置３０と、を有している。
【００１３】
受信装置１０は、入力端子ＩＮ１、ＩＮ２を有している。入力端子ＩＮ１には、デジタルインタフェースとして例えばＨＤＭＩが接続されている。このＨＤＭＩの他端は、ＡＶアンプ２０の出力端子ＯＵＴ１に接続されている。
【００１４】
ＡＶアンプ２０は、入力端子ＩＮ３、ＩＮ４、ＩＮ５を有している。入力端子ＩＮ３には、デジタルインタフェースとして例えばＨＤＭＩが接続されている。このＭＤＭＩの他端は、ＤＶＤ読取装置３０の出力端子ＯＵＴ２に接続されている。
【００１５】
ＨＤＭＩは、マルチメディアインターフェースの規格の一つで、映像、音声、著作権保護情報などさまざまな情報を１本のケーブルで伝送でき、またＣＥＣというシステム制御の機能も併せ持つ。
【００１６】
ＨＤＭＩ−ＣＥＣを利用すると、上記のように３つの機器がＨＤＭＩで接続されていた場合、すべての機器の電源が消えている状態でＤＶＤ読取装置の再生ボタンを押すと、受信装置１０、ＡＶアンプ２０、およびＤＶＤ読取装置３０の電源が入る。
【００１７】
受信装置１０とＡＶアンプ２０とは、ＤＶＤ読取装置３０が接続された入力端子ＩＮ１、ＩＮ３を自動的に選択するのでＤＶＤ読取装置から供給される映像および音声を視聴できる。上記のように、ＨＤＭＩ−ＣＥＣを利用することにより、関連する機器が情報を相互に伝達する事で各機器の状況を判断して、ユーザの１つのアクションからユーザが望む動作を自動的に連携させて実行することができる。
【００１８】
本実施形態に係る映像音声再生装置の受信装置１０は、放送波を受信する受信手段としてのアンテナＡＴと、アンテナＡＴから受信されて放送波を選択するチューナＴＮと、アンテナＡＴで受信された放送波をデコードする放送波デコード部１１とを有している。
【００１９】
受信装置１０は、ＨＤＭＩを介して入力端子ＩＮ１から入力されたデジタルデータが処理されるとともに、ＨＤＭＩを介して接続された他の機器との連携させる信号を出力するＨＤＭＩ信号処理部１２、放送波デコード部１１およびＨＤＭＩ信号処理部１２から入力された映像音声信号をデコードする映像音声デコード部１３と、表示手段としてのモニタＤＹＰと、第１音声出力手段としてのスピーカＳＰ１と、中央処理装置ＣＮＴと、をさらに有している。
【００２０】
中央処理装置ＣＮＴには、記憶手段として不揮発性メモリＭが接続されている。中央処理装置ＣＮＴは、判断部１０１と、警告表示部１０２と、初期音量設定部１０３と、音量記録部１０４とを有し、チューナＴＮ、放送波デコード部１１、ＨＤＭＩ信号処理部１２、および、映像音声デコード部１３の動作を制御している。
【００２１】
アンテナＡＴで受信された放送電波は、チューナＴＮで選択されて放送波デコード部１１に入力される。放送波デコード部１１では、入力された放送電波がデコードされる。放送波デコード部１１でデコードされたデジタル信号は映像音声デコード部１３に入力される。
【００２２】
映像音声デコード部１３に入力されたデジタル信号は、デジタル映像信号と、デジタル音声信号とにデコードされる。映像音声デコード部１３でデコードされたデジタル映像信号は映像ＤＡ変換部１４に入力され、映像ＤＡ変換部１４でデジタル-アナログ変換されてモニタＤＹＰに出力される。
【００２３】
映像音声デコード部１３でデコードされたデジタル音声信号は音声ＤＡ変換部１５に入力され、音声ＤＡ変換部１５でデジタル-アナログ変換されてスピーカＳＰ１に出力される。
【００２４】
本実施形態に係る映像音声再生装置のＡＶアンプ２０は、複数の入力端子ＩＮ３、ＩＮ４、ＩＮ５のいずれかを選択するセレクタ部２１と、セレクタ部２１で選択された入力端子、例えば入力端子ＩＮ３から入力された音声信号をデジタル音声信号に変換する音声ＤＡ変換部２２と、音声ＤＡ変換部２２から出力されたデジタル音声信号を外部に接続されたスピーカ（第２音声出力手段）ＳＰ２に出力するスピーカ出力部２３と、を有している。
【００２５】
ＤＶＤ読取装置３０は、ＤＶＤ(digital versatile disc)からデジタル信号を取得する光学取得装置３１と、光学取得装置３１で取得された映像信号および音声信号をデコードする映像音声デコード部３２とを有している。
【００２６】
光学取得装置３１で取得されたデジタル信号は、映像音声デコード部３２でデコードされて、出力端子ＯＵＴ２に接続されたＨＤＭＩを介してＡＶアンプ２０に入力される。
【００２７】
ＡＶアンプ２０に入力されたデジタル信号は、ＨＤＭＩが接続された入力端子ＩＮ３からセレクタ部２１に入力される。セレクタ部２１は、入力されたデジタル信号を音声ＤＡ変換部２２に出力する。ＤＶＤから取得される音声信号をＡＶアンプ２０に接続されたスピーカＳＰ２から出力する場合には、音声ＤＡ変換部２２はセレクタ部２１ｋから入力されたデジタルデータをアナログ信号に変換し、スピーカ出力部２３に出力する。
【００２８】
ＤＶＤから取得される映像信号および音声信号を受信装置１０のスピーカＳＰ１から出力する場合には、音声ＤＡ変換部２２に入力されたデジタル信号は、出力端子ＯＵＴ１に接続されたＨＤＭＩを介して受信装置１０に入力される。受信装置１０に入力されたデジタル信号は、入力端子ＩＮ１からＨＤＭＩ信号処理部１２に入力される。
【００２９】
ＨＤＭＩ信号処理部１２に入力されたデジタル信号は、映像音声デコード部１３に出力され、映像音声デコード部１３でデコードされる。映像音声デコード部１３でデコードされたデジタル映像信号は映像ＤＡ変換部１４に出力され、映像ＤＡ変換部１４でアナログ信号に変換されてモニタＤＹＰに出力される。モニタＤＹＰには入力されたアナログ信号に応じた映像が表示される。
【００３０】
映像音声デコード部１３でデコードされたデジタル音声信号は音声ＤＡ変換部１５に出力され、音声ＤＡ変換部１５でアナログ信号に変換されてスピーカＳＰ１に出力される。スピーカＳＰ１からは入力されたアナログ信号に応じた音声が出力される。
【００３１】
上記の映像音声再生装置において、ＤＶＤから取得された映像信号および音声信号が受信装置１０のモニタＤＹＰおよびスピーカＳＰ１から出力されていたとする。このときに、音声の出力を受信装置１０のスピーカＳＰ１からＡＶアンプ２０に接続されたスピーカＳＰ２に切り替える場合、ユーザはメニューからＨＤＭＩ−ＣＥＣを利用してスピーカＳＰ２から音声が出力されるように設定を変更する。
【００３２】
例えば、図７に示すようなリモコンＲＣを操作することによって音声出力の設定が変更される。ユーザがリモコンＲＣのクイックボタンを押すと、受信装置１０のモニタＤＹＰに図２に示すよう「クイックメニュー」が表示される。「クイックメニュー」には、例えば、音声調整、映像調整、およびＨＤＭＩ連携のボタンが表示される。
【００３３】
ユーザは、リモコンＲＣの矢印ボタンを操作して、音声調整、映像調整、およびＨＤＭＩ連携のボタンを選択する。本実施形態に係る映像音声再生装置の場合、これらのボタンが選択されると、ハイライトが当たっている状態となる。ユーザが、ＨＤＭＩ連携ボタンにハイライトが当たっている状態で、リモコンＲＣの決定ボタンを押すと、図３に示すようにＨＤＭＩ連携メニューが表示される。
【００３４】
ＨＤＭＩ連携メニューには、音声出力先切替ボタンと、音声調整ボタンとが表示される。ユーザが音声出力先切替ボタンのハイライトが当たっている状態でリモコンＲＣの決定ボタンを押すと、図４に示すように、音声出力先切替メニューが表示される。音声出力切替メニューには、テレビ（受信装置）ボタンと、アンプボタンとが表示される。
【００３５】
ユーザが音声出力先切替メニューのアンプボタンにハイライトが当たっている状態でリモコンＲＣの決定ボタンを押すと、「ＨＤＭＩ連携：音声出力先」を受信装置１０からＡＶアンプ２０に変更する動作が開始される。
【００３６】
音声出力の受信装置１０からＡＶアンプ２０への切替が開始されると（ＳＴＡ１）、受信装置１０の中央処理装置ＣＮＴは、ＡＶアンプ２０からＣＥＣの制御シーケンスにより現在の音量設定値を取得する（これを値Ａとする）（ＳＴＡ２）。
【００３７】
中央処理装置ＣＮＴの判断部１０１は、取得した値Ａが閾値Ｂを超えているか否かを判断する（ＳＴＡ３）。判断部１０１によって値Ａが閾値Ｂを超えていると判断された場合には、警告表示部１０２は、モニタＤＹＰに例えば図６に示すように、スピーカＳＰ２の音量が大きいことを知らせる警告画面を表示させる（ＳＴＡ４）。次に、初期音量設定部１０３は、ＣＥＣ制御シーケンスによりＡＶアンプ２０に接続されたスピーカＳＰ２の音量を所定の閾値Ｂに設定する（ＳＴＡ５）。
【００３８】
判断部１０１によって値Ａが閾値Ｃ未満であると判断された場合には、警告表示部１０２は、モニタＤＹＰに例えば図７に示すように、スピーカＳＰ２の音量が小さいことを知らせる警告画面を表示させる（ＳＴＡ７）。
【００３９】
中央処理装置ＣＮＴは、ＣＥＣ制御シーケンスにのっとり、スピーカＳＰ１の音声出力をミュートとして、スピーカＳＰ２から音声が出力されるよう制御する（ＳＴＡ８）。初期音量設定部１０３は、判断部１０１によって値Ａが閾値Ｂを超えていると判断された場合には（ＳＴＡ９）、ＣＥＣ制御シーケンスによりスピーカＳＰ２の音量を徐々に値Ａに近づけ（ＳＴＡ１３）、値ＡをスピーカＳＰの音量として音量出力の切替を終了する（ＳＴＡ１５）。
【００４０】
判断部１０１によって値Ａが閾値Ｃ未満であると判断された場合には（ＳＴＡ１０）、ＣＥＣ制御シーケンスによりスピーカＳＰ２の音量を徐々に閾値Ｃに近づけ（ＳＴＡ１１）、閾値ＣをスピーカＳＰ２の音量として（ＳＴＡ１２）、音量出力の切替を終了する（ＳＴＡ１５）。
【００４１】
なお、上記の閾値Ｂおよび閾値Ｃの値は一定の値でなくても良く、スピーカＳＰ２の機種によって異なる値であっても良い。さらに、閾値Ｂおよび閾値Ｃの値は、あらかじめ受信装置１０の中央処理装置ＣＮＴで設定されている値でも良く、ユーザの好みに応じて設定可能な値であっても良い。
【００４２】
すなわち、連携機能により受信装置１０からＡＶアンプ２０等の外部の音響装置へ音声出力を行う装置を変更した際に、外部の音響装置の音量が大きく設定されていた場合、今まで出力されていた音量とあまりにかけ離れて大きい音が出力される場合がある。特に、外部に音響装置を別途接続しているような場合、あやまって必要以上の大音量に設定されていた場合には、最悪機器を破壊するような事態も考えられる。
【００４３】
上記のような場合であっても、本実施形態に係る映像音声再生装置、および、映像音声再生方法によれば、いきなり大きな音が外部の音響装置から出力されることがなくい。また前回アンプを使用した際に、一時的にアンプの音量を極端に小さくしたままだった場合であっても、音量調整を行わずとも適切な音量の音声がアンプから出力される。
【００４４】
すなわち、本実施形態に係る映像音声再生装置、および映像音声再生方法によれば、音声出力機器を異なる機器に切り替えても適切な音量で音声を再生することができる映像音声再生装置、映像音声再生方法を提供することができる。
【００４５】
次に、本発明の第２実施形態に係る映像音声再生方法について以下に説明する。なお、以下の説明において、上記の第１実施形態に係る映像音声再生装置と同様の構成については、同一の符号を付して説明を省略する。
【００４６】
本実施形態に係る映像音声再生装置は、図１に示す映像音声再生装置である。すなわち、本実施形態に係る映像音声再生装置は、上述の第１実施形態に係る映像音声再生装置と同様に、受信装置１０と、ＡＶアンプ２０と、ＤＶＤ読取装置３０と、を有している。
【００４７】
受信装置１０の中央処理装置ＣＮＴは、判断部１０１と、警告表示部１０２と、初期音量設定部１０３と、音量記録部１０４とを有している。音量記録部１０４は、前回ＡＶアンプ２０に接続されたスピーカＳＰ２から音声を出力したときの音量設定を取得し、取得した音量設定値を不揮発性メモリＭに記録させる。
【００４８】
上記の映像音声再生装置における、音声出力を受信装置１０のスピーカＳＰ１からＡＶアンプ２０に接続されたスピーカＳＰ２に切り替える場合の動作について以下に説明する。
【００４９】
本実施形態に係る映像音声再生方法は、図９に示すように、上述の第１実施形態に係る映像音声再生装置の場合と同様に、ユーザはメニューからＨＤＭＩ−ＣＥＣを利用してスピーカＳＰ２から音声が出力されるように設定を変更する。
【００５０】
このとき、ユーザがメニューから、「ＨＤＭＩ連携：音声出力先」を受信装置１０からＡＶアンプ２０に変更すると、音声出力の切替が開始される（ＳＴＢ１）。音声出力の切替が開始されると、中央処理装置ＣＮＴの初期音量設定部１０３は、不揮発性メモリＭに記憶された前回ＨＤＭＩ連携先のＡＶアンプ２０に設定されていた値（これを値Ｄとする）を読み出して取得する（ＳＴＢ２）。
【００５１】
初期音量設定部１０３は、ＣＥＣ制御シーケンスにのっとり、取得した値ＤをスピーカＳＰ２の音量に設定する（ＳＴＢ３）。その後、中央処理装置ＣＮＴは、ＣＥＣ制御シーケンスにのっとり、スピーカＳＰ１の音声出力をミュートとして、スピーカＳＰ２から音声が出力されるように制御し（ＳＴＢ４）、音声出力の切替を終了する（ＳＴＢ５）。
【００５２】
すなわち、本実施形態に係る映像音声再生装置、および映像音声再生方法によれば、上述の第１実施形態に係る映像音声再生装置等と同様の効果が得られるとともに、ユーザが外部の音響装置に音声出力を切替る際に、音量調整を行わずともユーザの聞き慣れた音量で音声を出力することが可能となる。
【００５３】
なお、この発明は、上記実施形態そのままに限定されるものではなく、実施段階ではその要旨を逸脱しない範囲で構成要素を変形して具体化できる。
【００５４】
例えば、第２実施形態に係る映像音声再生装置においてスピーカＳＰ１から出力されている音声をスピーカＳＰ２より出力するように切り替える際に、判断部１０１が不揮発性メモリＭに記憶された音量設定値と所定の閾値を超えているか否かを判断して、判断部１０１によって不揮発性メモリＭに記憶された音量設定値が所定の閾値を超えていると判断された場合に、初期音量設定部１０３は、最初にスピーカＳＰ２から出力される音声の音量を所定の閾値とし、さらに、一定の間隔をおいて段階的に不揮発性メモリＭに記憶された音量設定値へと音量を変化させても良い。その場合であっても、上述の第１実施形態と第２実施形態とに係る映像音声再生装置および映像音声再生方法と同様の効果を得ることができる。
【００５５】
さらに、第２実施形態に係る映像音声再生装置においてスピーカＳＰ１から出力されている音声をスピーカＳＰ２より出力するように切り替える際に、判断手段１０１が、不揮発性メモリＭに記憶された音量設定値が所定の閾値よりも小さいか否かを判断して、判断手段１０１によって不揮発性メモリに記憶された音量設定値が所定の閾値よりも小さいと判断された場合に、初期音量設定部１０３は、スピーカＳＰ２の最初の音量設定値から一定間隔をあけて段階的に不揮発性メモリＭに記憶された音量設定値へと音量を変化させてもよい。その場合であっても、上述の第１実施形態と第２実施形態とに係る映像音声再生装置および映像音声再生方法と同様の効果を得ることができる。
【００５６】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００５７】
【図１】本発明の一実施形態に係る映像音声再生装置の一構成例を説明するための図。
【図２】図１に示す映像音声再生装置における音声出力先の切替を行う際にモニタに表示されるクイックメニューの一例を示す図。
【図３】図２に示すクイックメニュー表示においてＨＤＭＩ連携ボタンを選択したときのモニタの一表示例を示す図。
【図４】図３に示すモニタ表示において音声出力先切替ボタンを選択したときのモニタの一表示例を示す図。
【図５】図１に示す映像音声再生装置において音声出力先の音量が閾値よりも大きいと判断されたときにモニタに表示される警告表示の一例を示す図。
【図６】図１に示す映像音声再生装置において音声出力先の音量が閾値よりも小さいと判断されたときにモニタに表示される警告表示の一例を示す図。
【図７】図１に示す映像音声再生装置に音声出力先の切替指令を行うリモコンの一例を示す図。
【図８】図１に示す映像音声再生装置における映像音声再生方法の一例を説明するためのフローチャート。
【図９】図１に示す映像音声再生装置における映像音声再生方法の他の例を説明するためのフローチャート。
【符号の説明】
【００５８】
ＤＹＰ…モニタ（表示手段）、ＣＮＴ…中央処理装置（連携手段）、Ｍ…不揮発性メモリ（記憶手段）、ＳＰ１…スピーカ（第１音声出力手段）、ＳＰ２…スピーカ（第２外部音声出力手段）１０１…判断部、１０３…初期音量設定部、１０４…音量記録部
【図１】
2008294759.tif 000003
【図２】
2008294759.tif 000004
【図３】
2008294759.tif 000005
【図４】
2008294759.tif 000006
【図５】
2008294759.tif 000007
【図６】
2008294759.tif 000008
【図７】
2008294759.tif 000009
【図８】
2008294759.tif 000010
【図９】
2008294759.tif 000011